(57)【要約】【課題】導入や交換時の負担が少なく、より高効率かつ空気清浄能力が高い空気清浄システムを提供する。【解決手段】部屋５１内に、側面および上面に空気の吸込みと吹出しの切り替えが可能な開口部を有する第１空気清浄装置１と第２空気清浄装置２が配置され、部屋５１内の汚染空気や人を検知するために、部屋５１内に検知器４、または第１空気清浄装置１内および第２空気清浄装置２内に検知器３を備え、検知器４または検知器３によって検知した情報信号を基に、第１空気清浄装置１と第２空気清浄装置２を互いに連携させながら、各開口部からの吸込みと吹出しの切り替えおよび風量、風向、風速を制御する。【選択図】図１
2011002166.tif 000002
【特許請求の範囲】
【請求項１】
閉空間内の空気を清浄化する空気清浄システムにおいて、
前記閉空間内に前記空気を清浄化するための複数の空気清浄装置を備え、
前記複数の空気清浄装置は、
それぞれ側面および上面に空気の吸込みと吹出しの切り替えが可能な開口部を有し、
前記閉空間内の検知結果に応じて、互いに連携して前記空気の吸込みと吹出しを切り替える
ことを特徴とする空気清浄システム。
【請求項２】
複数の前記空気清浄装置は、
側面のうちの１面がそれぞれ前記閉空間内の壁に接して、複数が一対で互いに対向するように配置された
ことを特徴とする請求項１に記載の空気清浄システム。
【請求項３】
前記閉空間内または前記空気清浄装置内に、前記閉空間内の汚染空気または人の少なくとも一方を検知する検知器を備え、
前記検知器の検知結果を基に、前記空気清浄装置が連携して空気を清浄化する
ことを特徴とする請求項１または２に記載の空気清浄システム。
【請求項４】
前記空気清浄装置の各々が、
前記汚染空気または人に近い面を吸込みとし他面を吹出しとして連携を行う
ことを特徴とする請求項３に記載の空気清浄システム。
【請求項５】
前記汚染空気または人に一番近い位置に配置された近傍空気清浄装置は、
前記汚染空気または人に近い面を吸込みとし、他面を吹出しとして連携し、
前記近傍空気清浄装置に対向する空気清浄装置は、
前記汚染空気または人に近い面を吹出しとし、他面を吸込みとして連携する
ことを特徴とする請求項３に記載の空気清浄システム。
【請求項６】
前記空気清浄装置の各々が互いに一番近い面を対向面として対向したときに、
前記汚染空気または人に近い側に配置された近傍空気清浄装置は、
前記対向面を吹出しとし、前記対向面以外を吸込みとして連携し、
前記近傍空気清浄装置に対向する空気清浄装置は、
前記対向面を吸込みとし、前記対向面以外を吹出しとして連携する
ことを特徴とする請求項３に記載の空気清浄システム。
【請求項７】
前記空気清浄装置は、
前記対向面および前記上面を吸込みとし、その他の面を旋回流が発生するように吸込みおよび吹出しとするように設定された
ことを特徴とする請求項３に記載の空気清浄システム。
【発明の詳細な説明】
【技術分野】
【０００１】
本発明は、例えば、病室や一般家庭の部屋において、空気を清浄化する空気清浄システムに関するものである。
【背景技術】
【０００２】
例えば病室においては、患者の出すウィルスによる空気感染や、患者の持つ病気による悪臭による不快感といった問題が発生する可能性がある。また、一般家庭内の部屋においても、新型インフルエンザ等のウィルスや、花粉、ダニ等のアレルゲンによる健康被害の問題が発生する可能性がある。
【０００３】
これらの問題を解決するために、空気の脱臭や殺菌等を行う空気清浄システムが提案されている。その一例として、一般に販売されている空気清浄機や、特許文献１に開示されている室内環境制御システムなどが挙げられる。
【０００４】
一般に販売されている空気清浄機は、吸込み口と吹出し口を有し、機器内の吸込み口と吹出し口の流路の途中にフィルタがあり、そのフィルタにより部屋内のアレルゲンやウィルス、ホコリ等を収集している機器である。これらは、購入して部屋に置くだけでよく、費用や設置の手間の負担が少ないといった利点がある。
【０００５】
特許文献１における室内環境制御システムの全体構成を図１３に示す。特許文献１のシステムは、部屋内で用いられるシステムであって、図１３のように、吹出し部２０１、吸込み部２０２、脱臭部２０３、壁内ダクト２０４からなる。吸込み部２０２で吸った空気を脱臭部２０３で脱臭し、清浄化された空気を吹出し部２０１より部屋内に吹出す。特許文献１のシステムは、部屋の天井の吹出し部２０１と壁の吸込み部２０２が離れており、天井から床面への一様な気流２０５を作ることができるため、部屋内の空気を汚染空気を攪拌することなく清浄化できるとしている。
【先行技術文献】
【特許文献】
【０００６】
【特許文献１】特開２０００−１９９６３４号公報
【発明の概要】
【発明が解決しようとする課題】
【０００７】
一般に販売されている空気清浄機では、一つの機器のみで吸込みと吹出しとを行うため、吸込み口および吹出し口の両方から近い位置にある汚染空気が吹出し口から出る空気によって部屋全体に広がり、清浄効果が低くなるといった問題点がある。
【０００８】
また、特許文献１のシステムは、汚染空気を攪拌しない点では優れているが、壁や天井に穴をあけ、壁内にダクトを設置するため、導入時及び故障等の機器交換時に費用や時間がかかるという問題点がある。また吹出し口と吸込み口が固定されているため、部屋内に淀み気流が存在し、淀み気流の周辺の空気の清浄化は困難である。
【０００９】
そこで、本発明は、上記従来の問題点を解決するために、導入や交換時の負担が少なく、より高効率でかつ空気清浄能力をさらに向上することができる空気清浄システムを提供することを目的とする。
【課題を解決するための手段】
【００１０】
上記の課題を解決するために、本発明の請求項１記載の空気清浄システムは、閉空間内の空気を清浄化する空気清浄システムにおいて、前記閉空間内に前記空気を清浄化するための複数の空気清浄装置を備え、前記複数の空気清浄装置は、それぞれ側面および上面に空気の吸込みと吹出しの切り替えが可能な開口部を有し、前記閉空間内の検知結果に応じて、互いに連携して前記空気の吸込みと吹出しを切り替えることを特徴とする。
【発明の効果】
【００１１】
本発明によれば、複数の空気清浄装置により部屋全体で高効率な気流制御を行うことができる。そのため、導入や交換時の負担が少なく、また汚染空気を攪拌することなく、空気清浄化能力の高いシステムを構築することができる。
【図面の簡単な説明】
【００１２】
【図１】本発明の実施の形態１の空気清浄システムの構成を示す概要斜視図
【図２】（ａ）同実施の形態１の空気清浄システムにおける第１空気清浄装置の構造を示す概略図、（ｂ）同実施の形態１の空気清浄システムにおける第２空気清浄装置の構造を示す概略図
【図３】（ａ）同実施の形態１の空気清浄システムにおける閉空間と空気清浄装置の配置場所を示す平面図、（ｂ）同実施の形態１の空気清浄システムにおける閉空間と空気清浄装置の配置場所を示す左側面図、（ｃ）同実施の形態１の空気清浄システムにおける閉空間と空気清浄装置の配置場所を示す正面図、（ｄ）同実施の形態１の空気清浄システムにおける閉空間と空気清浄装置の配置場所を示す右側面図
【図４】同実施の形態１の空気清浄システムにおける動作を示すフローチャート
【図５】同実施の形態１の空気清浄システムにおける空気清浄装置の第１の動作の説明図
【図６】（ａ）同実施の形態１の空気清浄システムにおける汚染空気場所と空気清浄装置によって作られる第１の気流を説明するための平面図、（ｂ）同実施の形態１の空気清浄システムにおける汚染空気場所と空気清浄装置によって作られる第１の気流を説明するための正面図
【図７】同実施の形態１の空気清浄システムにおける空気清浄装置の第２の動作の説明図
【図８】（ａ）同実施の形態１の空気清浄システムにおける汚染空気場所と空気清浄装置によって作られる第２の気流を説明するための平面図、（ｂ）同実施の形態１の空気清浄システムにおける汚染空気場所と空気清浄装置によって作られる第２の気流を説明するための左側面図、（ｃ）同実施の形態１の空気清浄システムにおける汚染空気場所と空気清浄装置によって作られる第２の気流を説明するための正面図
【図９】同実施の形態１の空気清浄システムにおける空気清浄装置の第３の動作の説明図
【図１０】（ａ）同実施の形態１の空気清浄システムにおける汚染空気場所と空気清浄装置によって作られる第３の気流を説明するための平面図、（ｂ）同実施の形態１の空気清浄システムにおける汚染空気場所と空気清浄装置によって作られる第３の気流を説明するための左側面図、（ｃ）同実施の形態１の空気清浄システムにおける汚染空気場所と空気清浄装置によって作られる第３の気流を説明するための正面図
【図１１】同実施の形態１の空気清浄システムにおける空気清浄装置の第４の動作の説明図
【図１２】（ａ）同実施の形態１の空気清浄システムにおける汚染空気場所と空気清浄装置によって作られる第４の気流を説明するための平面図、（ｂ）同実施の形態１の空気清浄システムにおける汚染空気場所と空気清浄装置によって作られる第４の気流を説明するための左側面図、（ｃ）同実施の形態１の空気清浄システムにおける汚染空気場所と空気清浄装置によって作られる第４の気流を説明するための正面図
【図１３】従来の空気清浄システムの構成を示す概要図
【発明を実施するための形態】
【００１３】
以下、本発明の実施の形態について説明する。なお、以下の説明において、同じ構成には同じ符号を付して、適宜説明を省略する。
（実施の形態１）
まず、本発明の実施の形態１の空気清浄システムについて、その概要を説明する。
【００１４】
本実施の形態１の空気清浄システムは、閉空間内に空気を清浄化するための複数の空気清浄装置を備え、前記複数の空気清浄装置は、それぞれ側面および上面に空気の吸込みと吹出しの切り替えが可能な開口部を有し、前記閉空間内の空気汚染場所に応じて、互いに連携して、前記開口部からの空気の吸込みと吹出しを切り替え、かつ前記開口部からの風量、風向、風速を変化させるように、動作を行うことを特徴とする。
【００１５】
本システムを導入する際は複数の空気清浄装置を置くだけであるため、導入のための工事が不要であり、導入の負担がない。また複数の空気清浄装置を配置し、互いに連携して動作することによって様々な気流を生成することができる。なお、連携動作とは、例えば風量や風向等を、それらの情報を複数の空気清浄装置間で互いに通信しながら変化させることをいう。
【００１６】
特に、各空気清浄装置において、開口部からの空気の吸込みと吹出しを切り替えられるため、吸込み場所や吹出し場所が一定にならず、閉空間内に恒常的に淀んだ部分を作ることなく、部屋全体の空気の清浄化が可能となる。
【００１７】
また、上記の空気清浄システムにおいて、前記複数の空気清浄装置は、側面の１面が前記閉空間内の壁に接し、互いに対向するように設置することを特徴とする。
一つの空気清浄装置で気流を制御する場合に、最も制御が難しい場所が閉空間内で空気清浄装置と反対側に位置する空間の空気である。空気清浄装置を対向するように設置することによって、互いの最も難しい位置にある空気の制御がしやすくなり、最小の構成によって最大の効果が得られる。
【００１８】
また、上記の空気清浄システムにおいて、汚染空気もしくは人あるいはその両方を検知できる検知器が設けられ、汚染空気もしくは人あるいはその両方の情報をもとに、空気汚染場所に応じて最適な気流を作り出すことを特徴とする。
【００１９】
例えば病室においては、人が病気によって臭いの源となったり、ウィルスの発生源であったりするため、人自身が空気の汚染源となることがある。
よって、汚染空気の空間や人の位置を検知し、その空間にある汚染空気を中心に清浄するような気流を生成することによって、より清浄効率の高い空気清浄システムの構築が可能である。
【００２０】
また、上記の空気清浄システムにおいて、各々の空気清浄装置が汚染空気や人に接する３面を吸込み口、他の面を吹出し口として動作することを特徴とする。
例えば、直方体の閉空間内に、２つの空気清浄装置を、長辺の壁の中央に、空気清浄装置の側面の一面と壁が接するように、各々対向させて設置する。ここで、以下の説明のため、壁と平行な面を対向面、壁と垂直で地面とも垂直な面を側面、空気清浄装置の地面と平行で地面側でない面を上面とそれぞれ呼ぶ。
【００２１】
汚染空気が部屋の長手方向を半分にした空間に満たされている際、各空気清浄装置を、汚染空気側の側面と対向面と上面を吸込み、汚染空気と反対側の側面を吹出しとなるように、動作させる。このとき、吹出し口付近に汚染空気がないため、吹出しによる汚染空気の攪拌は起こらない。
【００２２】
よって、部屋の長手方向の半分の領域が汚染空気である場合、上記のように動作させることによって、汚染空気を攪拌することなく清浄化することが可能である。
また、上記の空気清浄システムにおいて、汚染空気または人に一番近い空気清浄装置が、汚染空気または人に接する３面を吸込み、他の面を吹出しとし、対向する空気清浄装置は、汚染空気または人に近い３面を吹出し、他面を吸込みとして連携動作を行うことを特徴する。
【００２３】
例えば、直方体の閉空間内に２つの空気清浄装置を前述と同様に設置し、部屋の１／４の部分に汚染空気がある場合を考える。このとき、汚染空気に一番近い空気清浄装置は先と同様に汚染空気に近い側面と対向面と上面を吸込みとし、汚染空気と反対側にある側面を吹出しとする。また、一番近い空気清浄装置の対向位置にある空気清浄装置は、汚染空気と反対側の側面を吸込みとし、他の汚染空気側の側面、上面、対抗面を吹出しとして動作させる。
【００２４】
上記動作によって、汚染空気に近い空気清浄装置の吹出し付近に他の吹出し気流はなく、また汚染空気から遠い側にある空気清浄装置は、汚染空気を汚染空気側の空気清浄装置のほうへ送る気流を生成するため、汚染空気を攪拌することなく清浄化することができる。
【００２５】
また、上記の空気清浄システムにおいて、汚染空気または人に近い空気清浄装置が対向面を吹出し、対抗面以外を吸込みとし、その対向にある空気清浄装置は対抗面を吸込み、他の面を吹出しとして動作することを特徴とする。
【００２６】
前述と同じように、直方体の閉空間内に２つの空気清浄装置を設置した場合で述べる。部屋の短辺方向の半分の空間が汚染空気の場合を考える。空気清浄装置は吸込み面及び吹出し面がそれぞれ少なくとも１つ必要である。よって汚染空気内に空気清浄装置がある場合、少なくとも１つが吹出しになるため、吹出し気流によって汚染空気を攪拌する可能性がある。
【００２７】
そこで、汚染されていない側にある空気清浄装置の対向面を吹出し口に設定し、対向する空気清浄装置の対向面を吸込みにすることによって、吹出し気流によって運ばれた汚染空気が対向する空気清浄装置によってすぐに清浄されるため、攪拌することなく汚染空気の清浄が可能である。また汚染されていない側にある空気清浄装置から吹出される気流によって、汚染空気内にある空気清浄装置に汚染空気が集められるため、より清浄効果が高まる。
【００２８】
また、上記の空気清浄システムにおいて、対向面と上面を吸込み、他面を旋回流が発生するように吸込みおよび吹出しを設定し、各々を動作させることを特徴とする。
先と同じ閉空間および２つの空気清浄装置で、汚染空気が閉空間の中央にある場合を考える。先と同様に、いずれかの面は吹出し動作を行わなければならないが、汚染空気が部屋の中央にあるため、どの面を吹出し動作にしても、その吹出し気流によって攪拌する可能性がある。
【００２９】
そこで上記のように動作させることによって、部屋内の中央付近の汚染空気は対向面及び上面によって吸われ、側面の吹出し気流よって運ばれた汚染空気は対向する空気清浄装置の吸込み口によって吸われるため、攪拌せずに汚染空気を清浄化できる。
【００３０】
次に、本実施の形態１の空気清浄システムについて、図面を用いて具体的に説明する。
図１は本実施の形態１の空気清浄システムの全体構成を示す概要斜視図、図２は空気を清浄化する空気清浄装置の構成を示す概略斜視図、図３は空気清浄装置の部屋内における配置説明図、図４は本空気清浄システムの動作を示すフローチャート、図５、７、９、１１は空気清浄装置の各開口面の動作関係を表す図、図６、８、１０、１２は閉空間内の空気の流れ（気流）を示す概略図である。
【００３１】
本実施の形態１の空気清浄システムは、空気を清浄化する空気清浄装置を複数台用いて閉空間内の空気を清浄化するシステムである。まず、図１を用いて空気清浄システム全体の概要について説明し、次に、図２（ａ）、（ｂ）を用いて空気清浄装置の一例、図３（ａ）〜（ｄ）を用いて対象となる閉空間及び空気清浄装置の配置の一例について述べる。その後、図４を用いて空気清浄システムの動作フローについて説明し、図５〜図１２を用いて複数の空気清浄装置を連携させて制御する方法、及びその際に作られる気流の概略図について説明する。
【００３２】
まず、図１を用いて、本実施の形態１の空気清浄システムの全体構成について、その概要を説明する。なお、説明文中で２台の空気清浄装置を区別するために、符号１側の空気清浄装置を第１空気清浄装置、符号２側の空気清浄装置を第２空気清浄装置と定める。
【００３３】
本発明の実施の形態１の空気清浄システムは、部屋５１内に、複数（図中では２台）の空気清浄装置として、側面および上面に空気の吸込みと吹出しの切り替えが可能な開口部（図示せず）を有する第１空気清浄装置１と第２空気清浄装置２とを配置している。そして、部屋５１内の汚染空気５や人を検知するために、例えば、吸収される波長によってガスの種類を特定する赤外線式のガス分析検知器として、部屋５１内の四隅に４つの検知器４（図中では１つ省略）、または第１空気清浄装置１内および第２空気清浄装置２内に検知器３の２つの検知器の少なくとも１つを備えて、構成される。赤外線式のガス分析検知器は、吸収波長だけでなく、赤外線による温度分布も測定できるため、予め人の温度分布を記憶させておけば、汚染空気（ガス）の検知のみならず、人の検知も可能である。
【００３４】
ここで、検知器３のみの場合は、２つのセンサ（検知器）の連携により汚染空気や人の場所を特定する必要がある。そのため、例えば、第１空気清浄装置１と第２空気清浄装置２のそれぞれのセンサ（検知器）の通信連携によって汚染空気や人の場所を特定する方法や、検知器３が少なくとも２つのセンサ部を有するものを用いる方法などが考えられる。また、検知器４も、４つ（図中では３つ）用いているが、これは、部屋５１内を万遍無く検知し易くするためであり、適当な場所に最低２つあれば場所の特定は可能である。
【００３５】
本実施の形態１においては、第１空気清浄装置１および第２空気清浄装置２は、それぞれの装置を制御するための制御部（図示せず）をその装置内に備え、装置間で例えば赤外線などによって通信部（図示せず）で通信を行なうことで情報を共有して連携制御される。この時、２つの機器の連係動作をより正確に行うために、どちらかの装置に優先権を持たせるか、別途設けた中央集中制御部（図示せず）を用いてそれぞれの装置を連携制御することが望ましい。
【００３６】
そして、この空気清浄システムは、検知器４または検知器３によって検知した情報信号を基に汚染空気５や人の場所を特定し、その汚染空気５や人の場所に応じて、第１空気清浄装置１と第２空気清浄装置２の各制御を互いに連携させながら、各開口部からの吸込みと吹出しの切り替えおよび風量、風向、風速を制御することによって、部屋５１内の汚染空気を清浄化するシステムである。
【００３７】
次に図２（ａ）、（ｂ）を用いて空気を清浄化する第１空気清浄装置１（図２（ａ）側）および第２空気清浄装置２（図２（ｂ）側）について述べる。第１空気清浄装置１および第２空気清浄装置２は、側面の３面と上面における吸込み部と吹出し部を、汚染空気の場所によって切り替えられる開口部を有している。図２（ａ）に示す第１空気清浄装置１において、水平面と平行で床と接していない面を上面１１とし、壁５１ａと平行で壁５１ａと接していない面を対向面１２、対向面１２に向かって左の側面を側面１３、対向面１２に向かって右側の側面を側面１４とする。同様に、図２（ｂ）に示す第２空気清浄装置２において、水平面と平行で床と接していない面を上面２１とし、壁５１ｄと平行で壁５１ｄと接していない面を対向面２２、対向面２２に向かって左の側面を側面２３、対向面２２に向かって右側の側面を側面２４とする。
【００３８】
また、第１空気清浄装置１および第２空気清浄装置２の内部には、汚染空気を清浄化するための清浄部（図示せず）が設けてある。空気を清浄化する清浄部としては、例えば、脱臭装置や殺菌装置、フィルタといったものが挙げられる。
【００３９】
図３（ａ）〜（ｄ）は空気を清浄化する対象の部屋の一例であり、図３（ａ）が平面図、図３（ｂ）が左側面図、図３（ｃ）が正面図、図３（ｄ）が右側面図を示す。ここでも、説明文中で２台の空気清浄装置を区別するために、図３（ａ）の平面図において下側（壁５１ｄ側）の空気清浄装置を第１空気清浄装置１と定め、上側（壁５１ａ側）の空気清浄装置を第２空気清浄装置２と定める。また、部屋５１内には汚染空気５や人を検知する検知器４（図３では天井の角の３箇所とする）を備えており、以下、その検知器４によって検知した汚染空気の情報を基にそれぞれの空気清浄装置を連携動作させることについて述べる。なお、以下の説明においては、検知器４によって汚染空気などの検知をする場合について説明しているが、前述の通り、これに代えて検知器３を用いて適当な検知範囲を設定すれば、ほぼ同様の効果が得られる。また、ここでは、部屋５１の空間を、図３（ａ）の実線のように区切り、それぞれ空間５２、空間５３、空間５４、空間５５、空間５６と定義している。
【００４０】
この部屋５１の場合、図３（ａ）〜（ｄ）のように第１空気清浄装置１および第２空気清浄装置２を配置するのが望ましい。例えば一つの空気清浄装置で閉空間内の気流を制御する際は、空気清浄装置に対して対向の位置にある空間の空気の制御が難しいため、第１空気清浄装置１および第２空気清浄装置２のように空気清浄装置２台を対向（対面）させて配置することによって、より少ない台数の空気清浄装置で最大の効果が得られる。
【００４１】
続いて、図４を用いて空気清浄システムの動作フローについて説明する。
本実施の形態１の空気清浄システムは、検知器４にて検知した場所（汚染空気５または人による汚染空間の場所）に対応する情報信号を基に、第１空気清浄装置１と第２空気清浄装置２の各開口部の吸込みと吹出しを切替えて動作させることによって、効率よく部屋内５１の空気の清浄化を行うシステムである。
【００４２】
まず、赤外線を用いた検知器４により汚染空気５または人を検知すると（ステップＳ１）、汚染空気５または人による汚染空間の場所を特定する（ステップＳ２）。ここで、例えば病室においては患者がウィルス等を保有していることがある。その場合は、患者周辺の空気にウィルス等が存在していると考え、人の位置を、清浄化が必要な空間として扱う。よって、病室において検知器４で人を検知した場合は、人のいる位置を清浄化が必要な空間（以下の説明では、前述の内容との対応させるために汚染空間場所という単語を用いて説明している。）として扱う。
【００４３】
汚染空間の場所が図３（ａ）〜（ｄ）で示す空間のいずれに存在するかに応じて、各空間ごとに対応させて各開口部の吸込みおよび吹出しを設定して動作させる。ここで例えば空間５４に汚染空気５が存在した場合には、空間５３に汚染空気が存在した場合と点対称となるため、各開口部の吸込みおよび吹出し動作についても、空間５３に汚染空気が存在した場合と点対称的に設定して動作させればよい。
【００４４】
ここで、汚染空間の場所が空間５２と空間５３の場合（ステップＳ３）、第１空気清浄装置１と第２空気清浄装置２の各開口部の吸込みおよび吹出し動作について図５、図６に示すように設定し（ステップＳ４）、第１空気清浄装置１および第２空気清浄装置２の各装置を動作させる（ステップＳ１１）。
【００４５】
図５、図６（ａ）、（ｂ）を用いて汚染空気５が空間５２と空間５３を満たす場合の第１の動作（ステップＳ３とＳ４の動作）について説明する。
図５に各空気清浄装置１、２の動作方法、図６（ａ）、（ｂ）に汚染空気５による汚染空間場所とその際の第１の気流の概略図をそれぞれ示す。
【００４６】
図６（ａ）、（ｂ）のように、部屋５１の左半分全体（図３（ａ）の空間５２、５３）が汚染空気５による汚染空間場所の場合、汚染空気５は第１空気清浄装置１および第２空気清浄装置２に接しているため、第１空気清浄装置１および第２空気清浄装置２の汚染空気５に接する部分は吸込みで動作させるのが一番よい。すなわち、図５のようにそれぞれを設定して動作させるのが望ましい。この時、図６（ａ）のように第１空気清浄装置１および第２空気清浄装置２の吸込み動作によって気流１０１、１０２が形成される。また、第１空気清浄装置１および第２空気清浄装置２の吹出し動作によって気流１０３が形成され、気流１０３の衝突によって部屋５１の中央断面において、図６（ｂ）のように気流１０４のような気流ができる。汚染空気５は気流１０１、１０２によって第１空気清浄装置１および第２空気清浄装置２に吸われて清浄化されり、また、気流１０４によって部屋５１内の上方にある汚染空気５が第１空気清浄装置１および第２空気清浄装置２付近に運ばれ、より清浄効果が高まる。
【００４７】
また、汚染空間場所が図３（ａ）の空間５３の場合（ステップＳ５）、第１空気清浄装置１と第２空気清浄装置２の各開口部の吸込みおよび吹出し動作について図７、図８（ａ）、（ｂ）に示すように設定し（ステップＳ６）、第１空気清浄装置１および第２空気清浄装置２の各装置を動作させる（ステップＳ１１）。
【００４８】
図７、図８（ａ）〜（ｃ）を用いて汚染空気５が空間５３を満たす場合の第２の動作（ステップＳ５とＳ６の動作）について説明する。
図７に各空気清浄装置の動作方法、図８（ａ）〜（ｃ）に汚染空気５による汚染空間場所とその際の第２の気流の概略図をそれぞれ示す。
【００４９】
図８（ａ）〜（ｃ）のように、部屋５１の１／４（図３（ａ）の空間５３）が汚染空気５による汚染空間場所の場合、汚染空気５が第１空気清浄装置１のすぐ近くであるため、第１空気清浄装置１の汚染空気５に接する面は吸込みで動作させるのが一番よい。また第２空気清浄装置２は、汚染空気５を第１空気清浄装置１の吸込み口に向かわせる気流を形成するのが、最も空気清浄能力が高くなる。すなわち、図７のようにそれぞれを設定して動作させるのが望ましい。
【００５０】
図８（ａ）〜（ｃ）のように、第１空気清浄装置１の側面１４の吸込みと第２空気清浄装置２の側面２３の吹出しの動作によって気流１０５、１０８ができ、壁５１ｃ付近にある汚染空気５を第１空気清浄装置１が吸込むことが可能である。また第１空気清浄装置１の上面１１、対向面１２の吸込みと第２空気清浄装置２の上面２１、対向面２２の吹出しによって気流１０６、１０７が形成され、汚染空気５が第１空気清浄装置１の側面１３の吹出し面の近くにいくのを防いでいる。これによって汚染空気５が部屋５１内に攪拌されずに、第１空気清浄装置１によって効率よく清浄化できる。
【００５１】
また、汚染空間の場所が空間５３と空間５５の場合（ステップＳ７）、第１空気清浄装置１と第２空気清浄装置２の各開口部の吸込みおよび吹出し動作について図９、図１０（ａ）〜（ｃ）に示すように設定し（ステップＳ８）、第１空気清浄装置１および第２空気清浄装置２の各装置を動作させる（ステップＳ１１）。
【００５２】
図９、図１０（ａ）〜（ｃ）を用いて汚染空気５が空間５３と空間５５を満たす場合の第３の動作について説明する。
図９に各空気清浄装置の動作方法、図１０（ａ）〜（ｃ）に汚染空気５による汚染空間の場所とその際の第３の気流の概略図をそれぞれ示す。
【００５３】
図１０（ａ）〜（ｃ）において、第１空気清浄装置１の全ての面を吸込み、第２空気清浄装置２の全ての面を吹出しで動作させるのが一番良いが、空気清浄装置は吸込み面および吹出し面がそれぞれ少なくとも１つは必要である。よって第１空気清浄装置１に少なくとも１つは吹出し面が必要であり、その吹出し気流によって汚染空気５が攪拌される可能性がある。
【００５４】
そこで図９のように動作させる。第１空気清浄装置１の上面１１、側面１３、側面１４の吸込みと、第２空気清浄装置２の上面２１、側面２３、側面２４の吹出しによって、気流１０９、１１０、１１１が作られる。これによって第１空気清浄装置１の壁面近くにある汚染空気５は第１空気清浄装置１によって清浄化される。
【００５５】
また、第１空気清浄装置１の対向面１２の吹出しと、第２空気清浄装置２の対向面２２の吸込みによって、気流１１２が形成され、対向面１２によって運ばれた汚染空気５を対向面２２で吸込み、第２空気清浄装置２により汚染空気５を清浄化できる。以上によって空間５３と空間５５に汚染空気が存在した場合に効率よく清浄化が可能である。
【００５６】
また、汚染空間の場所が空間５６の場合（ステップＳ９）、第１空気清浄装置１と第２空気清浄装置２の各開口部の吸込みおよび吹出し動作について図１１、図１２（ａ）〜（ｃ）に示すように設定し（ステップＳ１０）、第１空気清浄装置１および第２空気清浄装置２の各装置を動作させる（ステップＳ１１）。
【００５７】
図１１、図１２（ａ）〜（ｃ）を用いて汚染空気５が空間５６を満たす場合の動作について説明する。
図１１に各空気清浄装置の第４の動作（ステップＳ９とＳ１０）の方法、図１２（ａ）〜（ｃ）に汚染空気５による汚染空間の場所とその際の第４の気流の概略図をそれぞれ示す。
【００５８】
図１２（ａ）〜（ｃ）のように部屋の中央が汚染空気５による汚染空間の場合、図１０（ａ）〜（ｃ）の場合と同様に、いずれかの面が吹出しになった場合に汚染空気５を攪拌する可能性がある。また前述の内容とは違い、汚染空気５が偏っているわけではないため、先と同様の動作では半分の汚染空気５は清浄化できるが、もう半分の汚染空気５は攪拌する可能性がある。そこで図１１のようにそれぞれ設定して動作させる。
【００５９】
図１３にあるように、部屋の中央付近の汚染空気５は、第１空気清浄装置１の上面１１、対向面１２の吸込み動作、第２空気清浄装置２の上面２１、対向面２２の吸込み動作によって気流１１２、１１３が形成され、中央付近の汚染空気５は清浄化される。
【００６０】
しかし、第１空気清浄装置１の側面１３、第２空気清浄装置２の側面２３の吹出し動作によって汚染空気５を攪拌する可能性がある。そのため第１空気清浄装置１の側面１４、第２空気清浄装置２の側面２４を吸込み動作に設定し、気流１１４を生成させる。これによって第１空気清浄装置１の側面１３から吹出される気流に乗った汚染空気５は、第２空気清浄装置２の側面２４に吸われ、第２空気清浄装置２の側面２３から吹出される気流に乗った汚染空気５は第１空気清浄装置１の側面１４によって吸われ、それぞれ清浄化できる。
【００６１】
なお、本実施の形態１においては、空気清浄の対象として、現在実用化されている技術で清浄可能な汚染空気（ガス）の例について詳しく説明した。しかしながら、微細な物質であるウィルスを非接触で検出できる技術が実用化されれば、これを本発明に適用することで、空気中のウィルスに対しても空気清浄可能であると考えられる。
【産業上の利用可能性】
【００６２】
本発明の空気清浄システムは、導入や交換時の負担が少なく、より高効率でかつ空気清浄能力をさらに向上することができるもので、例えば病室の空気感染予防用の殺菌装置や部屋のアレルゲン抑制用の空気清浄システムとして利用することができる。
【符号の説明】
【００６３】
１    第１空気清浄装置
２    第２空気清浄装置
３、４    検知器
５    汚染空気
１１    第１空気清浄装置の上面
１２    第１空気清浄装置の対向面
１３    第１空気清浄装置の側面
１４    第１空気清浄装置の側面
２１    第２空気清浄装置の上面
２２    第２空気清浄装置の対向面
２３    第２空気清浄装置の側面
２４    第２空気清浄装置の側面
５１    部屋
５１ａ、５１ｂ、５１ｃ、５１ｄ    壁
５２、５３、５４、５５、５６、５７、９０    空間
１０１〜１１４    気流
２０１    吹出し部
２０２    吸込み部
２０３    脱臭部
２０４    壁内ダクト
２０５    吹出し部から吸込み部への気流
２０６    淀み
【図１】
2011002166.tif 000003
【図２】
2011002166.tif 000004
【図３】
2011002166.tif 000005
【図４】
2011002166.tif 000006
【図５】
2011002166.tif 000007
【図６】
2011002166.tif 000008
【図７】
2011002166.tif 000009
【図８】
2011002166.tif 000010
【図９】
2011002166.tif 000011
【図１０】
2011002166.tif 000012
【図１１】
2011002166.tif 000013
【図１２】
2011002166.tif 000014
【図１３】
2011002166.tif 000015